(57)【要約】【課題】  異種のケーブルを採用可能な構造を有するコネクタを提供する。【解決手段】  コネクタ２０の第１群の端子３２１の夫々は、一つの第１接触部３３１と、少なくとも一つの第１結線部３４１とを備える。第１接触部３３１は、第１結線部３４１よりも前方に位置している。コネクタ２０の第２群の端子３２３の夫々は、一つの第２接触部３３３と、一つの第２結線部３４３とを備える。第２接触部３３３は、第２結線部３４３よりも前方に位置している。第１接触部３３１と第２接触部３３３は、ピッチ方向に並んでいる。ピッチ方向において、互いに隣り合う二つの第１接触部３３１の間には、複数の第２接触部３３３が位置している。第１結線部３４１は、前後方向において第２結線部３４３と異なる位置に位置していると共に、上下方向において第２結線部３４３と異なる位置に位置している。【選択図】図４
2019102350.tif 000002
【特許請求の範囲】
【請求項１】
相手側コネクタと前後方向に沿って嵌合するコネクタであって、
前記コネクタは、複数の第１群の端子と、複数の第２群の端子と、それらを保持する保持部材とを備えており、
前記第１群の端子の夫々は、前記相手側コネクタと前記コネクタとの嵌合の際に相手側端子と接触可能な一つの第１接触部と、ケーブルに接続可能な少なくとも一つの第１結線部とを備えており、
前記第１接触部は、前記前後方向において、前記第１結線部よりも前方に位置しており、
前記第２群の端子の夫々は、前記相手側コネクタと前記コネクタとの嵌合の際に相手側端子と接触可能な一つの第２接触部と、ケーブルに接続可能な一つの第２結線部とを備えており、
前記第２接触部は、前記前後方向において、前記第２結線部よりも前方に位置しており、
前記第１接触部と前記第２接触部は、前記前後方向と直交するピッチ方向に並んでおり、
前記ピッチ方向において、互いに隣り合う二つの前記第１接触部の間には、複数の前記第２接触部が位置しており、
前記第１結線部は、前後方向において前記第２結線部と異なる位置に位置していると共に、前記前後方向及び前記ピッチ方向の双方と直交する上下方向において前記第２結線部と異なる位置に位置している
コネクタ。
【請求項２】
請求項１に記載のコネクタであって、
前記第１結線部及び前記第２結線部の一方は、残りの一方よりも、前記前後方向において前方又は後方に位置しており且つ前記上下方向において外側に位置している
コネクタ。
【請求項３】
請求項２に記載のコネクタであって、
前記第２結線部は、前記第１結線部よりも、前記前後方向において前方に位置しており且つ上下方向において外側に位置している
コネクタ。
【請求項４】
請求項２に記載のコネクタであって、
前記第２結線部は、前記第１結線部よりも、前記前後方向において後方に位置しており且つ上下方向において外側に位置している
コネクタ。
【請求項５】
請求項１から請求項４までのいずれか一つに記載のコネクタであって、
前記第１結線部と前記第２結線部は、前記前後方向と前記ピッチ方向とで規定される面上に投影した位置において、互いに異なっている
コネクタ。
【請求項６】
請求項１から請求項５までのいずれか一つに記載のコネクタであって、
前記コネクタは、少なくとも一つの第３群の端子をさらに備えており、
前記第３群の端子は、前記相手側コネクタと前記コネクタとの嵌合の際に相手側端子と接触可能な一つの第３接触部と、ケーブルに接続可能な一つの第３結線部とを備えており、
前記第３接触部は、前記前後方向において、前記第３結線部よりも前方に位置しており、
前記第３結線部は、前記前後方向において前記第１結線部と異なる位置に位置していると共に、前記上下方向において前記第１結線部と異なる位置に位置している
コネクタ。
【請求項７】
請求項１から請求項６までのいずれか一つに記載のコネクタであって、
前記コネクタはレセプタクルコネクタであり、前記相手側コネクタはプラグコネクタであり、
前記第１群の端子の前端は、前記第２群の端子の前端よりも前後方向において前方に位置している
コネクタ。
【請求項８】
請求項１から請求項７までのいずれか一つに記載のコネクタであって、
一つの前記第１接触部につながる前記第１結線部は、二つの第１結線部を備えている
コネクタ。
【請求項９】
請求項１から請求項８までのいずれか一つに記載のコネクタであって、
前記第１群の端子と前記第２群の端子は、上列及び下列に配列されており、
前記上列の前記第１群の端子及び前記第２群の端子と前記下列の前記第１群の端子及び前記第２群の端子とは、前記上下方向及び前記ピッチ方向の双方の中心に対して点対称に配置されている
コネクタ。
【請求項１０】
複数の第１種のケーブルと、複数の第２種のケーブルと、グランドバーと、請求項１から請求項９までのいずれか一つに記載のコネクタとを備えるケーブルハーネスであって、
前記コネクタは、さらにシェルを備えており、
前記第１種のケーブルの夫々は、第１導体部を備えており、
前記第１導体部は、前記第１結線部に接続されており、
前記第２種のケーブルの夫々は、第２導体部とシールド部とを備えており、
前記第２導体部は、前記第２結線部に接続されており、
前記第２種のケーブルは、前記グランドバーに保持されており、
前記シールド部は、前記グランドバーに接続されており、
前記グランドバーは、前記シェルに接続されている
ケーブルハーネス。
【請求項１１】
複数の第１種のケーブルと、複数の第２種のケーブルと、グランドバーと、請求項３又は請求項４に記載のコネクタとを備えるケーブルハーネスであって、
前記コネクタは、さらにシェルを備えており、
前記第１種のケーブルの夫々は、ディスクリート線であり、第１導体部を備えており、
前記第１導体部は、前記第１結線部に接続されており、
前記第２種のケーブルの夫々は、細線同軸ケーブルであり、第２導体部とシールド部とを備えており、
前記第２導体部は、前記第２結線部に接続されており、
前記第２種のケーブルは、前記グランドバーに保持されており、
前記第１種のケーブルは、前記グランドバーに保持されておらず、
前記シールド部は、前記グランドバーに接続されており、
前記グランドバーは、前記シェルに接続されている
ケーブルハーネス。
【請求項１２】
請求項１０又は請求項１１に記載のケーブルハーネスであって、
前記第１種のケーブルは、電源線であり、
前記第２種のケーブルは、信号線である
ケーブルハーネス。
【発明の詳細な説明】
【技術分野】
【０００１】
本発明は、コネクタ及びコネクタを備えるワイヤーハーネスに関する。
【背景技術】
【０００２】
特許文献１には、太さの異なる複数のケーブルが接続されるコネクタが開示されている。図２１に示されるように、特許文献１に開示されたコネクタ９０に接続される複数のケーブル９２は、上下二列に並べられ、列ごとに金属クリップ９４によって相互に固定されている。各列のケーブル９２には、細い信号線９２１と太い電源線９２３とが含まれている。
【先行技術文献】
【特許文献】
【０００３】
【特許文献１】中国実用新案公告第２０５５４３５０４号明細書
【発明の概要】
【発明が解決しようとする課題】
【０００４】
コネクタと基板とを接続するケーブルは、基板上に形成された接続パッドの配列ピッチに依存して、その外径サイズについて制限を受けることがある。そのようなサイズ制限の下では、大きな電流容量を確保するために、電源線として外径の大きいケーブルを採用することは難しい。そこで、このようなサイズ制限の下でも、電源線に大きな電流容量を確保するため、信号線に細線同軸ケーブルを用いるとともに、電源線にディスクリート線を用いることが行われている。即ち、信号伝送用のケーブルと電源用のケーブルを異種のケーブルとする技術が存在する。
【０００５】
しかしながら、特許文献１に記載されたコネクタには、異種のケーブルを混在させて接続することが難しいという問題点がある。
【０００６】
そこで、本発明は、異種のケーブルであっても接続可能な構造を有するコネクタを提供することを目的とする。
【課題を解決するための手段】
【０００７】
本発明は、第１のコネクタとして、相手側コネクタと前後方向に沿って嵌合するコネクタであって、
前記コネクタは、複数の第１群の端子と、複数の第２群の端子と、それらを保持する保持部材とを備えており、
前記第１群の端子の夫々は、前記相手側コネクタと前記コネクタとの嵌合の際に相手側端子と接触可能な一つの第１接触部と、ケーブルに接続可能な少なくとも一つの第１結線部とを備えており、
前記第１接触部は、前記前後方向において、前記第１結線部よりも前方に位置しており、
前記第２群の端子の夫々は、前記相手側コネクタと前記コネクタとの嵌合の際に相手側端子と接触可能な一つの第２接触部と、ケーブルに接続可能な一つの第２結線部とを備えており、
前記第２接触部は、前記前後方向において、前記第２結線部よりも前方に位置しており、
前記第１接触部と前記第２接触部は、前記前後方向と直交するピッチ方向に並んでおり、
前記ピッチ方向において、互いに隣り合う二つの前記第１接触部の間には、複数の前記第２接触部が位置しており、
前記第１結線部は、前後方向において前記第２結線部と異なる位置に位置していると共に、前記前後方向及び前記ピッチ方向の双方と直交する上下方向において前記第２結線部と異なる位置に位置している
コネクタを提供する。
【０００８】
また、本発明は第２のコネクタとして、第１のコネクタであって、
前記第１結線部及び前記第２結線部の一方は、残りの一方よりも、前記前後方向において前方又は後方に位置しており且つ前記上下方向において外側に位置している
コネクタを提供する。
【０００９】
また、本発明は第３のコネクタとして、第２のコネクタであって、
前記第２結線部は、前記第１結線部よりも、前記前後方向において前方に位置しており且つ上下方向において外側に位置している
コネクタを提供する。
【００１０】
また、本発明は第４のコネクタとして、第２のコネクタであって、
前記第２結線部は、前記第１結線部よりも、前記前後方向において後方に位置しており且つ上下方向において外側に位置している
コネクタを提供する。
【００１１】
また、本発明は第５のコネクタとして、第１から第４までのコネクタのうちのいずれかであって、
前記第１結線部と前記第２結線部は、前記前後方向と前記ピッチ方向とで規定される面上に投影した位置において、互いに異なっている
コネクタを提供する。
【００１２】
また、本発明は第６のコネクタとして、第１から第５までのコネクタのうちのいずれかであって、
前記コネクタは、少なくとも一つの第３群の端子をさらに備えており、
前記第３群の端子は、前記相手側コネクタと前記コネクタとの嵌合の際に前記相手側端子と接触可能な一つの第３接触部と、ケーブルに接続可能な一つの第３結線部とを備えており、
前記第３接触部は、前記前後方向において、前記第３結線部よりも前方に位置しており、
前記第３結線部は、前記前後方向において前記第１結線部と異なる位置に位置していると共に、前記上下方向において前記第１結線部と異なる位置に位置している
コネクタを提供する。
【００１３】
また、本発明は第７のコネクタとして、第１から第６までのコネクタのうちのいずれかであって、
前記コネクタはレセプタクルコネクタであり、前記相手側コネクタはプラグコネクタであり、
前記第１群の端子の前端は、前記第２群の端子の前端よりも前後方向において前方に位置している
コネクタを提供する。
【００１４】
また、本発明は第８のコネクタとして、第１から第７までのコネクタのうちのいずれかであって、
一つの前記第１接触部につながる前記第１結線部は、二つの第１結線部を備えている
コネクタを提供する。
【００１５】
また、本発明は第９のコネクタとして、第１から第８までのコネクタのうちのいずれかであって、
前記第１群の端子と前記第２群の端子は、上列及び下列に配列されており、
前記上列の前記第１群の端子及び前記第２群の端子と前記下列の前記第１群の端子及び前記第２群の端子とは、前記上下方向及び前記ピッチ方向の双方の中心に対して点対称に配置されている
コネクタを提供する。
【００１６】
また、本発明は、第１のケーブルハーネスとして、複数の第１種のケーブルと、複数の第２種のケーブルと、グランドバーと、第１から第９までのコネクタのうちのいずれかとを備えるケーブルハーネスであって、
前記コネクタは、さらにシェルを備えており、
前記第１種のケーブルの夫々は、第１導体部を備えており、
前記第１導体部は、前記第１結線部に接続されており、
前記第２種のケーブルの夫々は、第２導体部とシールド部とを備えており、
前記第２導体部は、前記第２結線部に接続されており、
前記第２種のケーブルは、前記グランドバーに保持されており、
前記シールド部は、前記グランドバーに接続されており、
前記グランドバーは、前記シェルに接続されている
ケーブルハーネスを提供する。
【００１７】
また、本発明は、第２のケーブルハーネスとして、複数の第１種のケーブルと、複数の第２種のケーブルと、グランドバーと、第３又は第４のコネクタとを備えるケーブルハーネスであって、
前記コネクタは、さらにシェルを備えており、
前記第１種のケーブルの夫々は、ディスクリート線であり、第１導体部を備えており、
前記第１導体部は、前記第１結線部に接続されており、
前記第２種のケーブルの夫々は、細線同軸ケーブルであり、第２導体部とシールド部とを備えており、
前記第２導体部は、前記第２結線部に接続されており、
前記第２種のケーブルは、前記グランドバーに保持されており、
前記第１種のケーブルは、前記グランドバーに保持されておらず、
前記シールド部は、前記グランドバーに接続されており、
前記グランドバーは、前記シェルに接続されている
ケーブルハーネスを提供する。
【００１８】
さらに、本発明は、第３のケーブルハーネスとして、第１又は第２のケーブルハーネスであって、
前記第１種のケーブルは、電源線であり、
前記第２種のケーブルは、信号線である
ケーブルハーネスを提供する。
【発明の効果】
【００１９】
本発明によれば、コネクタにおいて、第１群の端子の第１結線部は、前後方向において第２群の第２結線部と異なる位置に位置するとともに、上下方向において第２結線部と異なる位置に位置している。このように、第１結線部の位置と第２結線部の位置とが異なっているので、第１結線部に対するケーブル接続と第２結線部に対するケーブル接続とを分けて行うことができる。そのため、第１結線部と第２結線部とに互いに異なる種類のケーブルを接続することが容易に行える。
【図面の簡単な説明】
【００２０】
【図１】本発明の第１の実施の形態によるケーブルハーネスを示す斜視図である。
【図２】図１のケーブルハーネスを示す別の斜視図である。
【図３】図１のケーブルハーネスを示す分解斜視図である。一部のケーブルの断面は、拡大して示されている。
【図４】図３のケーブルハーネスに含まれるコネクタ本体が備える上列の端子を示す斜視図である。
【図５】図４の上列の端子を示す平面図である。
【図６】図４の上列の端子を示す側面図である。
【図７】図１のケーブルハーネスに含まれるコネクタを示す背面図である。後シェルは、省略されている。また、一部の端子とその周辺部は、拡大して示されている。
【図８】図７のコネクタを示す平面図である。
【図９】図７のコネクタを示す正面図である。一部の端子とその周辺部が拡大して示されている。
【図１０】図７のコネクタを示す底面図である。
【図１１】図７のコネクタを示す斜視図である。
【図１２】図１１のコネクタと、それに接続された第１列のケーブルとを示す斜視図である。
【図１３】図１１のコネクタと、それに接続された第１列及び第２列のケーブルとを示す斜視図である。
【図１４】図１１のコネクタと、それに接続された第１列から第４列までのケーブルとを示す斜視図である。
【図１５】図１のケーブルハーネスを示す背面図である。
【図１６】図１５のケーブルハーネスを示す底面図である。
【図１７】図１６のケーブルハーネスを示すＡ−Ａ線断面図である。
【図１８】図１６のケーブルハーネスを示すＢ−Ｂ線断面図である。
【図１９】本発明の第２の実施の形態によるケーブルハーネスを示す斜視図である。後シェルは、省略されている。
【図２０】図１９のケーブルハーネスを示す別の斜視図である。
【図２１】特許文献１に記載されたコネクタを示す分解斜視図である。
【発明を実施するための形態】
【００２１】
（第１の実施の形態）
図１及び図２を参照すると、本発明の第１の実施の形態によるケーブルハーネス１０は、コネクタ２０と複数のケーブル８０とを有している。本実施の形態において、コネクタ２０は、複数の相手側端子（図示せず）を備える相手側コネクタ（図示せず）と前後方向に沿って嵌合・分離可能なコネクタである。本実施の形態において、前後方向はＹ方向であり、−Ｙ方向が前方、＋Ｙ方向が後方である。また、本実施の形態において、コネクタ２０は、レセプタクルコネクタであり、相手側コネクタは、プラグコネクタである。
【００２２】
図３を参照すると、コネクタ２０は、コネクタ本体３０と、前シェル４０と、後シェル５０と、取付部材６０とを有している。前シェル４０は、金属板から成る。前シェル４０は、前後方向と直交する面内において、ピッチ方向に長い角丸四角形の断面を有する筒状である。前シェル４０は、コネクタ本体３０の前部を囲うようにコネクタ本体３０に取り付けられる。本実施の形態において、ピッチ方向は、前後方向と直交するＸ方向である。また、後シェル５０は、金属板から成る。後シェル５０は、その前部を開いた状態でコネクタ本体３０に取り付けられ、閉じた状態に変形させることでコネクタ本体３０に固定される。後シェル５０は、閉じた状態で箱状となり、コネクタ本体３０の後部を囲う。また、後シェル５０は、前シェル４０に接続される。前シェル４０と後シェル５０とは、互いに接続されて単一のシェルを構成する。本実施の形態において、前シェル４０と後シェル５０とは別体であるが、これらは一体に形成されてもよい。取付部材６０は、金属板から成り、前シェル４０を部分的に覆うように前シェル４０と組み合わされる。
【００２３】
図３に示されるように、ケーブルハーネス１０はさらに一対のグランドバー７０を有している。グランドバー７０の夫々は、一部のケーブル８０を保持している。詳しくは、ケーブル８０は、ピッチ方向に四列に並べられており、グランドバー７０は、上下方向において外側に位置する二列のケーブル８０、即ち、第２列８４のケーブル８０及び第４列８８のケーブル８０をそれぞれ保持している。上下方向において内側に位置する二列のケーブル８０、即ち、第１列８２のケーブル８０及び第３列８６のケーブル８０は、グランドバー７０によって保持されていない。本実施の形態において、上下方向は、前後方向及び上下方向の双方と直交するＺ方向であり、＋Ｚ方向が上方であり、−Ｚ方向が下方である。
【００２４】
図３に示されるように、コネクタ本体３０は、複数の端子３２と、それらを保持する保持部材３６とを備えている。端子３２は、金属からなり、保持部材３６は、絶縁樹脂からなる。端子３２は、保持部材３６によって一体に保持されている。換言すると、保持部材３６は、端子３２とともに一体成型されている。本実施の形態において、端子３２は、上下二列に配列されている。以下、図面を参照して、主として上列の端子３２について説明し、その後、下列の端子３２について簡単に説明する。
【００２５】
図４から図６までの図を参照すると、上列の端子３２は、ピッチ方向に並べられている。上列の端子３２は、複数の第１群の端子３２１と、複数の第２群の端子３２３と、少なくとも一つの第３群の端子３２５を含んでいる。本実施の形態において、第１群の端子３２１は電源端子であり、第２群の端子３２３は高速信号用端子であり、第３群の端子３２５は低速信号用端子である。また、本実施の形態において、第１群の端子３２１の数は四個、第２群の端子３２３の数は三対、第３群の端子３２５の数は二個である。但し、本発明において、端子３２の数はこれに限られない。少なくとも二つの第１群の端子３２１と、その間に配置された複数の第２群の端子３２３があればよい。また、本発明において、第３群の端子３２５は、必須ではない。
【００２６】
図４及び図５に示されるように、端子３２の夫々は、その前端の近くに位置する一つの接触部（３３１，３３３，３３５）と、接触部につながる少なくとも一つの結線部（３４１，３４３，３４５）とを有している。詳しくは、第１群の端子３２１の夫々は、一つの第１接触部３３１を有するとともに、二つの第１結線部３４１を有している。また、第２群の端子３２３の夫々は、一つの第２接触部３３３を有するとともに、一つの第２結線部３４３を有している。さらに、第３群の端子３２５の夫々は、一つの第３接触部３３５を有するとともに、一つの第３結線部３４５を有している。ここで、第１接触部３３１、第２接触部３３３及び第３接触部３３５の夫々は、コネクタ２０と相手側コネクタ（図示せず）とが互いに嵌合した際に、対応する相手側端子（図示せず）と接触する部分である。相手側コネクタが対応する相手側コンタクトを有していない場合もあるので、第１接触部３３１、第２接触部３３３及び第３接触部３３５の夫々は、相手側コンタクトのいずれか一つと接触する可能性のある部分である。第１結線部３４１、第２結線部３４３及び第３結線部３４５の夫々は、ケーブル８０に接続可能な部分である。本実施の形態では、第１結線部３４１、第２結線部３４３及び第３結線部３４５の全てにケーブル８０が接続されているが、コネクタ２０の用途によっては第１結線部３４１、第２結線部３４３及び第３結線部３４５のいずれか一つ以上にケーブル８０が接続されない場合もある。
【００２７】
図４から図６までの図から理解されるように、前後方向において、第１群の端子３２１の前端の位置は、第２群の端子３２３及び第３群の端子３２５の前端の位置と異なっている。本実施の形態において、第１群の端子３２１の前端の位置は、第２群の端子３２３及び第３群の端子３２５の前端の位置よりも前後方向において前方に位置している。ただし、本発明はこれに限られない。第１群の端子３２１の前端の位置と第２群の端子３２３及び第３群の端子３２５の前端の位置は、前後方向において相互に一致していてもよい。
【００２８】
図４から図６までの図に示されるように、前後方向において、第１接触部３３１、第２接触部３３３及び第３接触部３３５は、第１結線部３４１、第２結線部３４３及び第３結線部３４５よりも夫々前方に位置している。また、第１結線部３４１は、上下方向において第１接触部３３１と一致しており、第２結線部３４３及び第３結線部３４５は、上下方向において、第２接触部３３３及び第３接触部３３５よりも上方に位置している。
【００２９】
図４及び図６から理解されるように、上下方向において、第１接触部３３１の位置は、第２接触部３３３及び第３接触部３３５の位置と一致している。また、図４及び図５から理解されるように、前後方向において、第１接触部３３１の位置は、第２接触部３３３及び第３接触部３３５の位置と少なくとも部分的に重なっている。換言すると、第１接触部３３１、第２接触部３３３及び第３接触部３３５は、ピッチ方向に並んでいる。第１接触部３３１のうちピッチ方向において互いに隣り合う二つの第１接触部３３１の間には、複数の第２接触部３３３が位置している。本実施の形態において、互いに隣り合う二つの第１接触部３３１の間には、対をなす二つの第２接触部３３３が位置している。
【００３０】
図５に示されるように、第１結線部３４１、第２結線部３４３及び第３結線部３４５は、前記前後方向と前記ピッチ方向とで規定される面上に投影した位置において、互いに異なっている。換言すると、上下方向に沿って見た場合に、第１結線部３４１、第２結線部３４３及び第３結線部３４５は、互いに重なっていない。
【００３１】
図４から図６までの図から理解されるように、第１結線部３４１の位置は、前後方向及び上下方向において、互いに同じ又は略同じである。また、第２結線部３４３及び第３結線部３４５の位置は、前後方向及び上下方向において、互いに同じ又は略同じである。第１結線部３４１の位置と第２結線部３４３及び第３結線部３４５の位置とは、前後方向及び上下方向において異なっている。本実施の形態において、第２結線部３４３及び第３結線部３４５は、前後方向において第１結線部３４１よりも前方に位置し、かつ上下方向において第１結線部３４１よりも上方（外側）に位置している。但し、本発明はこれに限られない。第２結線部３４３及び第３結線部３４５は、前後方向において第１結線部３４１よりも後方に位置し、かつ上下方向において第１結線部３４１よりも上方（外側）に位置してもよい。あるいは、第１結線部３４１が、前後方向において第２結線部３４３及び第３結線部３４５よりも前方又は後方に位置し、かつ上下方向において第２結線部３４３及び第３結線部３４５よりも上方（外側）に位置してもよい。いずれにしても、本発明において、第１結線部３４１及び第２結線部３４３のいずれか一方が、前後方向において他方の前方又は後方に位置し、かつ上下方向において他方の外側に位置していればよい。但し、後シェル５０とグランドバー７０との接続（図１６及び図１７参照）を容易にするため、第２結線部３４３及び第３結線部３４５は、上下方向において第１結線部３４１の外側に位置していることが好ましい。本実施の形態において、第３結線部３４５については、その前後方向及び上下方向の位置を、第２結線部３４３の位置と一致させている。しかしながら、第３結線部３４５の位置は、接続されるケーブル８０に応じて第１結線部３４１の位置と一致させるようにしてもよい。なお、本発明において、上下方向における外側は、ケーブル８０の取り付け方向に依存する。本実施の形態において、ケーブル８０は、第１結線部３４１、第２結線部３４３及び第３結線部３４５の夫々の上面に接続されるので（図１２及び図１３参照）、上方が上下方向における外側である。
【００３２】
図３及び図９から理解されるように、コネクタ本体３０において、第１接触部３３１、第２接触部３３３及び第３接触部３３５は、外部に露出している。詳しくは、上列の端子３２の第１接触部３３１、第２接触部３３３及び第３接触部３３５は、保持部材３６の前部の上面上に露出している。また、図３、図７、図８及び図１１に示されるように、第１結線部３４１、第２結線部３４３及び第３結線部３４５も、コネクタ本体３０の外部に露出している。詳しくは、上列の端子３２の第１結線部３４１、第２結線部３４３及び第３結線部３４５は、保持部材３６の後部において上方へ向かって露出している。
【００３３】
下列の端子３２は、上列の端子３２と同一に構成され、上下方向及びピッチ方向の中心に関して点対称に配置される。つまり、コネクタ２０は、上下逆差し可能なリバーシブルコネクタ、例えば、ＵＳＢ−ＴｙｐｅＣのコネクタである。
【００３４】
図７、図９及び図１０から理解されるように、下列の端子３２についても上列の端子３２と同様に、第１接触部３３１、第２接触部３３３、第３接触部３３５、第１結線部３４１、第２結線部３４３及び第３結線部３４５が、コネクタ本体３０の外部に露出している。詳しくは、下列の端子３２の第１接触部３３１、第２接触部３３３及び第３接触部３３５は、保持部材３６の前部の下面上に露出し、第１結線部３４１、第２結線部３４３及び第３結線部３４５は、保持部材３６の後部において下方へ向かって露出している。
【００３５】
図３に加え、図１５を参照すると、ケーブル８０は、上下方向に第１列８２、第２列８４、第３列８６及び第４列８８を形成している。上下方向において上側に位置する第１列８２及び第２列８４は上側グループを形成し、下側に位置する第３列８６及び第４列８８は下側グループを形成する。上側グループのケーブル８０は、上列の端子３２に対応し、下側グループのケーブル８０は、下列の端子３２に対応する。上下方向において内側に位置する第１列８２及び第３列８６のケーブル８０の夫々は、第１種のケーブル８０１である。また、上下方向において外側に位置する第２列８４及び第４列８８のケーブル８０の夫々は、第２種のケーブル８０３である。本実施の形態において、第１種のケーブル８０１は、電源線であり、第２種のケーブル８０３は、信号線である。図１５から理解されるように、第１種のケーブル８０１と第２種のケーブル８０３とは同一又は略同一の外径を有している。
【００３６】
図３に拡大して示されるように、本実施の形態において、第１種のケーブル８０１は、導体（第１導体部）８１１とそれを覆う外被８１３とを有している。即ち、本実施形態において、第１種のケーブル８０１は、ディスクリート線である。また、本実施の形態において、第２種のケーブル８０３は、中心導体（第２導体部）８２１と、その周囲を囲う絶縁体８２３と、絶縁体８２３の周囲に配置されたシールド部８２５と、それらを覆う外被８２７とを有している。即ち、本実施の形態において、第２種のケーブル８０３は、細線同軸ケーブルである。但し、本発明はこれに限られない。第１種のケーブル８０１と第２種のケーブル８０３は、同一の構成を有するケーブルであってもよい。
【００３７】
図１２及び図１７に示されるように、第１列８２の第１種のケーブル８０１の夫々は、上列の端子３２の第１結線部３４１のいずれか一つに接続される。詳しくは、第１種のケーブル８０１の夫々の導体８１１は、上列の端子３２の第１結線部３４１のいずれか一つに接続される。同様に、第３列８６の第１種のケーブル８０１の夫々は、図１４に示されるように、下列の端子３２の第１結線部３４１のいずれか一つ接続される。このように、第１群の端子３２１の夫々に二本の第１種のケーブル８０１が接続されるので、一本の第１種のケーブル８０１が接続される場合に比べて、第１群の端子３２１の夫々へより多くの電力を供給することができる。換言すると、本実施の形態によれば、信号線の径よりも大きい径を持つ電源線を用いることなく、所望の電力を供給することが可能である。
【００３８】
図１３及び図１８に示されるように、第２列８４の第２種のケーブル８０３の夫々は、上列の端子３２の第２結線部３４３及び第３結線部３４５のいずれか一つに接続される。詳しくは、第２種のケーブル８０３の夫々の中心導体８２１は、上列の端子３２の第２結線部３４３及び第３結線部３４５のいずれか一つに接続される。同様に、第４列８８の第２種のケーブル８０３の夫々は、図１４に示されるように、下列の端子３２の第２結線部３４３及び第３結線部３４５のいずれか一つに接続される。本実施の形態において、第２結線部３４３及び第３結線部３４５は、前後方向及び上下方向において第１結線部３４１と異なる位置にある。それゆえ、ピッチ方向に並ぶ端子３２に対して、第１種のケーブル８０１の第１結線部３４１への接続と、第２種のケーブル８０３の第２結線部３４３及び第３結線部３４５への接続とを別々に行うことができる。また、第２種のケーブル８０３をグランドバー７０に保持させる一方で、第１種のケーブル８０１をグランドバー７０に保持させないようにすることができる。こうして、本実施の形態によれば、第１結線部３４１と第２結線部３４３とに互いに異なる種類のケーブル８０を接続することを容易に行うことができる。
【００３９】
図１３に示されるように、第２列８４の第２種のケーブル８０３を保持するグランドバー７０は、保持部材３６の後部上面側に形成された収容部に部分的に収容される。同様に、第４列８８の第２種のケーブル８０３を保持するグランドバー７０も、保持部材３６の後部下面側に形成された収容部に部分的に収容される。図１８に示されるように、グランドバー７０の夫々は、第２列８４又は第４列８８の第２種のケーブル８０３のシールド部８２５を保持している。換言すると、第２列８４及び第４列８８の夫々の第２種のケーブル８０３のシールド部８２５は、グランドバー７０に共通に接続されている。また、図１６及び図１７から理解されるように、グランドバー７０の夫々は、半田付け等により接続部５２を介して後シェル５０に接続されている。こうして、すべての第２種のケーブル８０３のシールド部８２５は、後シェル５０と同一の電位（グランド電位）に保たれる。
【００４０】
（第２の実施の形態）
図１９及び図２０を参照すると、本発明の第２の実施の形態によるケーブルハーネスは、コネクタ２０Ａとケーブル８０とを備えている。コネクタ２０Ａは、複数の端子３２Ａとそれらを保持する保持部材３６Ａとを有するコネクタ本体３０Ａを備えている。第１の実施の形態と同様に、端子３２Ａは、上下二列に配列され、各列の端子３２Ａは、第１群の端子３２１Ａ、第２群の端子３２３Ａ及び第３群の端子３２５Ａを含んでいる。また、第１群の端子３２１Ａの夫々は、第１接触部（図示せず）及び第１結線部３４１Ａを有している。同様に、第２群の端子３２３Ａの夫々は、第２接触部（図示せず）及び第２結線部３４３Ａを有している。また、第３群の端子３２５Ａの夫々は、第３接触部（図示せず）及び第３結線部３４５Ａを有している。
【００４１】
図１９及び図２０から理解されるように、端子３２Ａの各列において、第２結線部３４３Ａ及び第３結線部３４５Ａは、前後方向において第１結線部３４１Ａの後方に位置している。また、第２結線部３４３Ａ及び第３結線部３４５Ａは、上下方向において第１結線部３４１Ａの外側に位置している。第１結線部３４１Ａの夫々に、第１種のケーブル８０１の導体１１が接続される。また、第２結線部３４３Ａ及び第３結線部３４５Ａの夫々に、グランドバー７０に保持された第２種のケーブル８０３の中心導体８２１が接続される。このように、本実施の形態においても、第２結線部３４３Ａ及び第３結線部３４５Ａが、前後方向及び上下方向において第１結線部３４１Ａと異なる位置にあるので、ピッチ方向に並ぶ端子３２Ａに対して、第１種のケーブル８０１の第１結線部３４１Ａへの接続と、第２種のケーブル８０３の第２結線部３４３Ａ及び第３結線部３４５Ａへの接続とを別々に行うことができる。また、第２種のケーブル８０３をグランドバー７０に保持させる一方で、第１種のケーブル８０１をグランドバー７０に保持させないようにすることができる。よって、本実施の形態においても、第１結線部３４１Ａと第２結線部３４３Ａとに互いに異なる種類のケーブル８０を接続することを容易に行うことができる。
【００４２】
以上、本発明について、複数の実施の形態を掲げて説明してきたが、本発明は、これらに限定されるものではない。たとえば、上記実施の形態においてコネクタ２０は、レセプタクルコネクタであったが、本発明はプラグコネクタにも適用可能である。また、上記実施の形態において、端子３２は上下二列に配列されているが、端子３２は、一列に配置されていてもよい。換言すると、本発明は、非リバーシブルコネクタにも適用可能である。また、上記実施の形態において、第１種のケーブル８０１と第２種のケーブル８０３とは異種のケーブルであったが、これらは同種のケーブルであってもよい。
【符号の説明】
【００４３】
１０    ケーブルハーネス
２０，２０Ａ    コネクタ
３０，３０Ａ    コネクタ本体
３２，３２Ａ    端子
３２１，３２１Ａ    第１群の端子
３２３，３２３Ａ    第２群の端子
３２５，３２５Ａ    第３群の端子
３３１    第１接触部
３３３    第２接触部
３３５    第３接触部
３４１    第１結線部
３４３    第２結線部
３４５    第３結線部
３６，３６Ａ    保持部材
４０    前シェル（シェル）
５０    後シェル（シェル）
５２    接続部
６０    取付部材
７０    グランドバー
８０    ケーブル
８２    第１列
８４    第２列
８６    第３列
８８    第４列
８０１    第１種のケーブル
８０３    第２種のケーブル
８１１    導体
８１３    外被
８２１    中心導体
８２３    絶縁体
８２５    シールド部
８２７    外被
【図１】
2019102350.tif 000003
【図２】
2019102350.tif 000004
【図３】
2019102350.tif 000005
【図４】
2019102350.tif 000006
【図５】
2019102350.tif 000007
【図６】
2019102350.tif 000008
【図７】
2019102350.tif 000009
【図８】
2019102350.tif 000010
【図９】
2019102350.tif 000011
【図１０】
2019102350.tif 000012
【図１１】
2019102350.tif 000013
【図１２】
2019102350.tif 000014
【図１３】
2019102350.tif 000015
【図１４】
2019102350.tif 000016
【図１５】
2019102350.tif 000017
【図１６】
2019102350.tif 000018
【図１７】
2019102350.tif 000019
【図１８】
2019102350.tif 000020
【図１９】
2019102350.tif 000021
【図２０】
2019102350.tif 000022
【図２１】
2019102350.tif 000023